(57)【要約】【課題】運用系から待機系への替え作業の効率化を図る。【解決手段】２重化オペレーションシステムは、システム全体を監視するHMI端末３０と、通常使用される運用系オペレーションシステム４０と、待機系オペレーションシステム５０とを備えている。運用系オペレーションシステム４０は、HMI端末３０からの要求に基づき、情報をサービス情報部４２及び装置情報部４３に登録して被管理装置を管理すると共に、登録された情報を待機系オペレーションシステム５０に転送する。待機系オペレーションシステム５０では、転送された情報を蓄積情報部５２に蓄積しておき、運用系オペレーションシステム４０の故障時等にHMI端末３０からの要求に基づき、蓄積された情報をサービス情報部５３及び装置情報部５４に登録して被管理装置を管理する。【選択図】図１
2008009518.tif 000002
【特許請求の範囲】
【請求項１】
システム全体を監視する監視端末と、
通常使用され、前記監視端末からの要求に基づき、情報を登録して被管理装置を管理すると共に、前記登録された情報を転送する運用系オペレーションシステムと、
前記転送された情報を蓄積しておき、前記監視端末からの要求に基づき、前記運用系オペレーションシステムからの切り替え接続時に、前記蓄積された情報を登録して被管理装置を管理する待機系オペレーションシステムと、
を備えたことを特徴とする２重化オペレーションシステム。
【請求項２】
前記運用系オペレーションシステムの故障時に、前記管理端末の指示に基づき、前記運用系オペレーションシステムから前記待機系オペレーションシステムへの切り替え接続が行われることを特徴とする請求項１記載の２重化オペレーションシステム。
【請求項３】
前記監視端末は、ヒューマン・マシンインタフェース端末であることを特徴とする請求項１又は２記載の２重化オペレーションシステム。
【発明の詳細な説明】
【技術分野】
【０００１】
本発明は、通常使用されて装置を管理する運用系オペレーションシステムと、運用系障害時等に使用されて装置を管理する待機系オペレーションシステムとの２台のオペレーションシステムを備えた２重化オペレーションシステム、特に、運用系障害時等に運用系オペレーションシステムから待機系オペレーションシステムへの切り替え作業の効率化を図る技術に関するものである。
【背景技術】
【０００２】
従来、例えば、下記の特許文献１に記載されているように、装置を管理するオペレーションシステムにおいては、装置を制御監視するための情報を入出力するヒューマン・マシンインタフェース（Human Machine Interface、以下「HMI」という。）端末により操作された情報に基づいて該オペレーションシステムが監視される。
【０００３】
【特許文献１】特開平１１−４１２３６号公報
【０００４】
又、オペレーションシステムにより管理される被管理装置は、ユーザへ各種のサービスを行っており、オペレーションシステムは、被管理装置へのサービスに関するデータの登録や、サービスの状態及びハードウェアの状態の監視を行っている。そのため、オペレーションシステムの障害が発生して使用不可能となった場合、オペレーションシステムを使用した作業や監視が不能となり、サービスヘの影響が発生する。
【０００５】
そのため、２台のオペレーションシステムを使用し、1台を運用系として通常使用し、もう１台を待機系として障害時に使用し、運用系のオペレーションシステムの障害に対応するような２重化オペレーションシステムが知られている。
【０００６】
図２は、従来の２重化オペレーションシステムを示す概略の構成図である。
この２重化オペレーションシステムは、システム全体を監視するHMI端末１と、このHMI端末１により監視され、通常使用する運用系オペレーションシステム１０と、HMI端末１により監視され、運用系障害時に使用する待機系オペレーションシステム２０とを備えている。
【０００７】
運用系オペレーションシステム１０は、HMI端末１に対して情報の送受信を行う送受信処理部１１、サービス情報を格納するサービス情報部１２、及び、装置情報を格納する装置情報部１３等により構成されている。同様に、待機系オペレーションシステム２０も、HMI端末１に対して情報の送受信を行う送受信処理部２１、サービス情報を格納するサービス情報部２２、及び、装置情報を格納する装置情報部２３等により構成されている。
【０００８】
この種の２重化オペレーションシステムの運用方法は、例えば、下記のステップ（処理手順）Ｓ１〜Ｓ６により実行される。
【０００９】
ステップＳ１において、HMI端末１よりユーザ（保守者）が運用系オペレーションシステム１０に対してサービス情報及び装置情報の登録要求を行う。ステップＳ２において、運用系オペレーションシステム１０の送受信処理部１１で登録要求を受信し、サービス情報部１２にサービス情報の登録を行う。ステップＳ３において、装置情報部１２に装置情報の登録を行う。
【００１０】
次に、ステップＳ３において、運用系オペレーションシステム１０の障害発生時、HMI端末１よりユーザが待機系オペレーションシステム２０に対してサービス情報及び装置情報の登録要求を行う。ステップＳ５において、待機系オペレーションシステム２０の送受信処理部２１で登録要求を受信し、サービス情報部２２にサービス情報の登録を行う。その後、ステップＳ６において、装置情報部２３に装置情報の登録を行い、処理を終了する。
【発明の開示】
【発明が解決しようとする課題】
【００１１】
しかしながら、従来の２重化オペレーションシステムにおいて、通常使用するオペレーションシステム１０は運用系１台であるため、サービスに関するサービス情報や、サービスの状態及びハードウェアの状態の監視を行う被管理装置における装置情報の登録は、運用系について行われる。そのため、運用系オペレーションシステム１０に障害が発生して待機系オペレーションシステム２０を使用する場合、運用系との間で、サービス情報や装置情報について差分がある。その結果、運用系を待機系に切り替える場合、サービス情報や装置情報の登録を行う作業に時間が掛かるので、運用系を待機系に切り替える作業を効率化する必要がある。
【課題を解決するための手段】
【００１２】
本発明の２重化オペレーションシステムでは、システム全体を監視する監視端末と、通常使用され、前記監視端末からの要求に基づき、情報を登録して被管理装置を管理すると共に、前記登録された情報を転送する運用系オペレーションシステムと、前記転送された情報を蓄積しておき、前記監視端末からの要求に基づき、運用系障害時等における前記運用系オペレーションシステムからの切り替え接続時に、前記蓄積された情報を登録して被管理装置を管理する待機系オペレーションシステムとを備えている。
【発明の効果】
【００１３】
本発明の２重化オペレーションシステムによれば、運用系オペレーションシステムヘの情報登録時に待機系オペレーションシステムヘその登録情報を転送して蓄積しておき、運用系から待機系への切り替え時にその蓄積情報を待機系に登録するようにしたので、運用系障害時等において、運用系から待機系への切り替えを迅速に行え、切り替え作業の効率性を向上できる。
【発明を実施するための最良の形態】
【００１４】
２重化オペレーションシステムは、システム全体を監視するHMI端末と、通常使用される運用系オペレーションシステムと、待機系オペレーションシステムとを備えている。前記運用系オペレーションシステムは、前記HMI端末からの要求に基づき情報を登録して被管理装置を管理すると共に、前記登録された情報を前記待機系オペレーションシステムに転送する。前記待機系オペレーションシステムでは、前記転送された情報を蓄積しておき、前記運用系オペレーションシステムの故障時に前記HMI端末からの要求に基づき前記蓄積された情報を登録して被管理装置を管理する。
【実施例１】
【００１５】
（実施例１の構成）
図１は、本発明の実施例１における２重化オペレーションシステムを示す概略の構成図である。
【００１６】
この２重化オペレーションシステムは、システム全体を監視する監視端末（例えば、HMI端末）３０と、このHMI端末３０により監視され、通常使用されて被管理装置を管理する運用系オペレーションシステム４０と、HMI端末３０により監視され、運用系障害時に使用されて被管理装置を管理する待機系オペレーションシステム５０とを備えている。
【００１７】
HMI端末３０は、ユーザ（保守者）の操作により、運用系オペレーションシステム４０又は待機系オペレーションシステム５０に切り替え接続され、これらのオペレーションシステム４０，５０に対して、サービスに関するサービス情報や、サービスの状態及びハードウェアの状態の監視を行う被管理装置における装置情報の登録要求を出力する等の監視機能を有しており、コンピュータ等により構成されている。
【００１８】
運用系オペレーションシステム４０は、HMI端末３０からの登録要求指示情報等を受信したり、登録した情報を待機系オペレーションシステム５０へ転送する等の機能を有する送受信処理部４１と、サービス情報を格納するサービス情報部４２と、装置情報を格納する装置情報部４３とを有し、コンピュータ等により構成されている。
【００１９】
更に、待機系オペレーションシステム５０は、HMI端末３０からの登録要求指示情報や運用系オペレーションシステム４０からの転送情報等を受信したり、必要な情報を送信したりする送受信処理部５１と、運用系オペレーションシステム４０からの転送情報等を格納する蓄積情報部５２と、サービス情報を格納するサービス情報部５３と、装置情報を格納する装置情報部５４とを有し、コンピュータ等により構成されている。
なお、図１中のＳ１０〜Ｓ１７は、後述するステップ（処理手順）を示すものである。
【００２０】
（実施例１の動作）
図３は、図１の２重化オペレーションシステムの動作を示すフローチャートである。
本実施例１の２重化オペレーションシステムの運用方法は、例えば、下記のステップＳ１０〜Ｓ１７により実行される。
【００２１】
２重化オペレーションシステムの処理が開始し、ステップＳ１０において、HMI端末３０よりユーザ（保守者）が運用系オペレーションシステム４０に対してサービス情報及び装置情報の登録要求を行うと、運用系オペレーションシステム４０内の送受信処理部４１が、HMI端末３０よりサービス情報及び装置情報の登録要求を受信する。ステップＳ１１，Ｓ１２において、運用系オペレーションシステム４０は、登録要求受信により、サービス情報及び装置情報をサービス情報部４２及び装置情報部４３へ登録する。登録が正常に完了した場合、ステップ１３において、運用系オペレーションシステム４０から待機系オペレーションシステム５０へ、登録したサービス情報及び装置情報の転送を行う。
【００２２】
待機系オペレーションシステム５０へ転送されたサービス情報及び装置情報は、ステップＳ１４において、待機系オペレーションシステム５０内の送受信処理部５１で受信されて蓄積情報部５２に蓄積される。運用系オペレーションシステム５０に障害が発生した場合、ステップＳ１５において、ユーザは、HMI端末３０の接続先を運用系オペレーションシステム４０から待機系オペレーションシステム５０に変更する。待機系オペレーションシステム５０は、ステップＳ１６，Ｓ１７において、HMI端末３０との接続を契機に（即ち、接続に応答して）、蓄積情報部５２に蓄積されたサービス情報及び装置情報をサービス情報部５３及び装置情報部５４に登録し、処理を終了する。
【００２３】
（実施例１の効果）
本実施例１の２重化オペレーションシステムによれば、運用系オペレーションシステム４０の障害時に待機系オペレーションシステム５０を使用するが、通常、運用系オペレーションシステム４０に対して行っていたサービス情報や装置情報の登録を、待機系オペレーションシステム５０の使用時に再度行う必要が無くなることから、運用系から待機系への切り替えが迅速に行え、効率性が高まる。又、保守点検時等において、運用系から待機系へ切り替え接続する場合においても、同様の効果が得られる。
【００２４】
（変形例）
本発明は、上記実施例１に限定されず、種々の利用形態や変形が可能である。例えば、HMI端末３０、運用系オペレーションシステム４０、及び待機系オペレーションシステム５０の装置構成は、用途に応じて任意に設定や変更を行えば良い。又、HMI端末３０は、用途に応じて他の装置構成の管理端末に変更しても良い。
【産業上の利用可能性】
【００２５】
本発明は、２重化オペレーションシステムにおいて、運用系オペレーションシステム４０に登録された情報は、通常、待機系オペレーションシステム５０には登録されず、運用系オペレーションシステム障害時等に、ユーザにより登録が行われるシステムに適用される。そのため、本発明は、運用系と待機系のオペレーションシステム（或いは他のシステムや装置）を２台（或いは３台以上）備えたシステムにおいて、運用系障害時等にこれを待機系に切り替えて使用するような種々のシステムや装置に利用が可能である。
【図面の簡単な説明】
【００２６】
【図１】本発明の実施例１における２重化オペレーションシステムを示す概略の構成図である。
【図２】従来の２重化オペレーションシステムを示す概略の構成図である。
【図３】図１の２重化オペレーションシステムの動作を示すフローチャートである。
【符号の説明】
【００２７】
３０      HMI端末
４０      運用系オペレーションシステム
４１，５１      送受信処理部
４２，５３      サービス情報部
４３，５４      装置情報部
５２      蓄積情報部
【図１】
2008009518.tif 000003
【図２】
2008009518.tif 000004
【図３】
2008009518.tif 000005